(57)【要約】【課題】  屈曲光学系を持つカメラにおいて、薄型化をはかりつつ、携行しやすいカメラを構成を複雑化することなく提供することを目的とする。【構成】  複数枚の撮像レンズと、前記撮像レンズを透過する被写体入射光束を屈曲させる、少なくとも１つの光学部材と、前記複数枚の撮像レンズと前記光学部材とを保持するレンズ保持部材（１０１、１０２）と、前記レンズ保持部材の少なくとも一部を保持する筐体とを具備するカメラにおいて、前記筐体は外壁部を形成し、レンズ保持部材（１０１、１０２）は、その外面が前記筐体の内壁面に接触もしくは接近するように前記筐体内に配置され、レンズ保持部材（１０１、１０２）又は前記撮像レンズのうちの対物レンズＬ１aの前面が、前記外壁部の外面よりも内側に位置するような格納位置に回転可能に前記筐体に保持されることを特徴とするカメラ。【選択図】  図２
2006215128.tif 000002
【特許請求の範囲】
【請求項１】
複数枚の撮像レンズと、
前記撮像レンズを透過する被写体入射光束を屈曲させる、少なくとも１つの光学部材と、
前記複数枚の撮像レンズと前記光学部材とを保持するレンズ保持部材と、
前記レンズ保持部材の少なくとも一部を保持する筐体とを具備するカメラにおいて、
前記筐体は外壁部を形成し、
前記レンズ保持部材は、その外面が前記筐体の内壁面に接触もしくは接近するように前記筐体内に配置され、前記レンズ保持部材又は前記撮像レンズのうちの対物レンズの前面が、前記外壁部の外面よりも内側に位置するような格納位置に回転可能に前記筐体に保持されることを特徴とするカメラ。
【請求項２】
請求項１に記載のカメラにおいて、前記レンズ保持部は、前記複数枚の撮像レンズのうちの少なくとも一つの撮像レンズと前記光学部材とを固定保持する第一レンズ保持部材と、
前記複数枚の撮像レンズのうちの、前記第一レンズ保持部材に保持される撮像レンズ以外の少なくとも一つの撮像レンズを保持し、前記筐体に保持される第二レンズ保持部材とで構成され、
前記第一レンズ保持部材は、前記第二レンズ保持部材に対し、前記第二レンズ保持部材により保持される撮像レンズの光軸方向を回転軸として回転可能に前記第二レンズ保持部材と接合されることを特徴とするカメラ。
【請求項３】
請求項１ないし２に記載のカメラにおいて、前記格納位置では、前記対物レンズが前記筐体に対向し、そのレンズ前面を隠蔽することを特徴とするカメラ。
【請求項４】
請求項２乃至請求項４に記載のカメラはさらに、前記被写体入射光束を受光し、被写体画像データへ変換して出力する撮像部と、
前記第一レンズ保持部材の回転角度に応じて、被写体像の必要な被写体像領域を選択し、該選択された領域の画像データを前記撮像部より出力させる制御部とを具備することを特徴とするデジタルカメラ。
【発明の詳細な説明】
【技術分野】
【０００１】
屈曲光学系を具備するカメラに関する。
【背景技術】
【０００２】
今日、デジタルカメラは高機能化、高画素化が進む一方、衣服のポケット等に入れて携行可能な携帯性を考慮した、小型、薄型のデジタルカメラの需要も大きい。しかし、カメラにおいて撮像光学系を小型化、薄型化するのは難しい。特に撮影画角を変更できるズームレンズを用いた撮像光学系は数枚からなるレンズ群を複数必要とする。そのため、必要な有効な撮像領域を維持しかつ種々の収差を補正しつつ、撮像光学系を光軸方向へ短縮するにはレンズの小型化、レンズ素材の高屈折率化、収差の除去方法等の問題があり困難である。そのため薄型のデジタルカメラには、比較的レンズの構成枚数が少ない単焦点レンズを用いたものが多い。
【０００３】
上記問題を解決するために、撮像光学系に屈曲光学系を用いてズーム可能としながら、被写体方向からの光軸をプリズムによりカメラ内で光軸を被写体方向に対し９０度屈曲させ撮像光学系の光軸方向長を確保しつつ薄型化したデジタルカメラがある。（例えば特許文献１）
【特許文献１】特開平１０−２５３８８６号公報
【発明の開示】
【発明が解決しようとする課題】
【０００４】
一般的な屈曲光学系を用いたカメラでは、屈曲光学系の構造上、対物レンズを保持する鏡筒が、屈曲された後の光路を形成する為のレンズ鏡筒に対し突出するため、該対物レンズ前面をボディー面に合わせて配置させ、対物レンズのボディー面からの突出を回避している。そのため、上記カメラでは、ボディー内壁と屈曲された後のレンズ鏡筒の外壁との間にスペースが空いてしまう。この結果ボディーの薄型化が望めない。また、上記特許文献１におけるカメラでは、ボディー内壁と屈曲後のレンズ鏡筒の外壁との間のスペースを無くしボディーの薄型化がはかられているが、対物レンズ部分がボディー面より突出してしまい、カメラ本体をポケット等に収納する際に邪魔になる（特許文献１図４、図５参照）。また、屈曲光学系全体を回転可能に筐体に保持しているがどのような状態にあっても対物レンズが突出したままであり、対物レンズに傷が付きやすくなってしまう。さらに、フォーカス機構、ズーム機構を含んだ屈曲光学系全体を回転するため、屈曲光学系の構造が複雑化する。
【０００５】
本発明は、屈曲光学系を持つカメラにおいて、薄型化をはかりつつ、携行しやすいカメラを構成を複雑化することなく提供することを目的とする。
【課題を解決するための手段】
【０００６】
上記問題点を解決するために、複数枚の撮像レンズと、前記撮像レンズを透過する被写体入射光束を屈曲させる、少なくとも１つの光学部材と、前記複数枚の撮像レンズと前記光学部材とを保持するレンズ保持部材と、前記レンズ保持部材の少なくとも一部を保持する筐体とを具備するカメラにおいて、前記筐体は外壁部を形成し、前記レンズ保持部材は、その外面が前記筐体の内壁面に接触もしくは接近するように前記筐体内に配置され、前記レンズ保持部材又は前記撮像レンズのうちの対物レンズの前面が、前記外壁部の外面よりも内側に位置するような格納位置に回転可能に前記筐体に保持されるとする。
【発明の効果】
【０００７】
請求項１におけるカメラは、被写体入射光軸を屈曲させる光学系を持つカメラにおいて、カメラが薄型化されると共に、格納位置で携行性が増す。さらに請求項２におけるカメラは、撮像レンズを固定して保持する第一レンズ保持部材を回転させるため回転機構が簡易に構成できる。また、請求項３に記載のカメラでは、格納位置では対物レンズを保護することもできる。
【０００８】
請求項４におけるカメラは、第一レンズ保持部材のみを回転しても正常な画像が撮影できる。
【発明を実施するための最良の形態】
【０００９】
以下、本発明を適用した実施の形態に係るデジタルカメラについて、図１〜図７を参照しながら説明する。
＜構成＞
本実施の形態におけるデジタルカメラ１の正面図を１aに示す。
【００１０】
デジタルカメラ１は、レンズ室１０１とレンズ鏡胴１０２が一体となった撮像光学系１００を、図１aに示すようにボディー４０１内の本体前壁から見た上方に内蔵している。レンズ鏡胴１０２はカメラボディー４０１に保持されるが、レンズ室１０１の周辺のボディー４０１は図示のごとく切り取られた形状となり、レンズ室１０１は露呈している。
【００１１】
図１aに示すデジタルカメラ正面図の上方（矢印Wの方向）から見た撮像光学系１００の主要構成部材の断面図を図２に示す。
被写体光束の入射光路に従い本実施の形態におけるカメラの光学系１００について説明する。まず被写体光束は対物レンズL１aに入射する。対物レンズＬ１aを透過した被写体光束はプリズムL１ｂに入射する。プリズムL１ｂは、入射した被写体光束の光軸を９０度屈曲させるための直角プリズムである。プリズムL１ｂに入射した被写体光束は９０度屈曲された後、レンズL１ｃへ入射する。以下、レンズL１a、レンズL１ｃ、プリズムL１ｂとから構成される光学部材を第一光学系L１と称する。第一光学系L１はレンズ室１０１により保持されている。なお、プリズムL１ｂは入射した光束を９０度屈曲させる直角プリズムを用いたがこれに限るものではない。例えば光束が入射する入射面または光束が反射する反射面、光束が射出される射出面等に局率をもたせ光束を屈曲させると共にレンズの役割を持ったプリズムを用いても良い。
【００１２】
レンズL１ｃを透過した被写体光束は、順次第二光学系L２、第三光学系L３、第四光学系L４を透過し最後に光学ローパスフィルターL５を透過した後撮像素子１０４に結像される。
第二光学系L２は、バリエーターの役割を果たす。第三光学系L３は、コンペンセータの役割を果たす。第四光学系L４は、フォーカシングの役割を果たす。これらの光学系L２乃至L４はそれぞれレンズ鏡胴１０２に保持されている。光学ローパスフィルターL５は撮像素子１０４に取り付けられている。光学系L２乃至L４は、少なくとも１枚のレンズから構成され、それぞれ可動可能にレンズ鏡胴１０２により保持される。また、光学系L２乃至L４は不図示のレンズ駆動部により駆動される。前記光学系L２乃至L４の詳しい構成は周知の構成であるため詳細な説明は省く。レンズ室１０１とレンズ鏡胴１０２とは、それぞれ結合部１０１a、１０２aにより回転可能に結合される。撮像素子１０４は、放熱板１０３に固定され、放熱板１０３はレンズ鏡胴１０２に固定されている。また絞り１０５は第二光学系L２と第三光学系L３との間に設けられレンズ鏡胴１０２に可動可能に保持されている。光学系L２乃至L４同様に絞り１０５は不図示の絞り駆動部により駆動される。
【００１３】
本実施の形態におけるデジタルカメラ１のブロック図を図３に示す。
制御部１０は、回転検出部１１、バリエーター駆動部１２、絞り駆動部１４、コンペンセータ駆動部１６、フォーカス駆動部１８、撮像素子１０４、画像処理部２０、外部メモリ２１、RAM２２、ROM２３、EEPROM２４、表示回路２５、操作部２７と接続され、これらを制御している。
【００１４】
回転検出部１１は、レンズ室１０１のレンズ鏡胴１０２に対する回転角度信号を検出する。回転角度の検出は結合部１０１aにブラシ部材を、結合部１０２ｂに電気接点部材を設け回転角度に応じてブラシ部材の接点部材との接触パターンの変化により検出する。なお、回転角度検出方法としては、ロータリーエンコーダーや、フォトインタラプタを用いた周知の方法等で回転角度を検出するとしても良い。
【００１５】
検出されたレンズ室１０１の回転角度信号は制御部１０に送信される。バリエーター駆動部１２は、モーター１３により第二光学系L2のレンズを駆動して画角を変更する。絞り駆動部１４は、モーター１５により絞り１０５駆動し絞り値を変更する。コンペンセータ駆動部１６は、モーター１７により第三光学系L3のレンズを駆動しバリエーター駆動部１２による画角の変更に連動した焦点距離のズレを調整する。フォーカス駆動部１８は、モーター１９により第四光学系L４のレンズを駆動して焦点距離を調整する。撮像素子１０４はCCDやCMOS等の固体撮像素子である。撮像素子１０４前面には光学ローパスフィルターL５が取り付けられている。撮像素子１０４は、光学系L１〜L4およびL５を透過して撮像素子１０４前面に結像された被写体像を電気信号に変換する。該変換された電気信号は画像信号として画像処理部２０へ出力される。画像処理部２０は、撮像素子１０４より出力された画像信号に種々の処理を行い、必要に応じて記録用画像データや表示用画像データへ変換する。変換された記録用画像データは撮影データ等の情報やサムネイルデータ等とともに画像ファイルとして外部メモリ２１に保存される。変換された表示用画像データは、表示回路２５へ送られる。
【００１６】
外部メモリ２１は、画像ファイル等を保存するための着脱可能なメモリーカードである。RAM２２は、制御部１０及び画像処回路２２等が処理を行う際にデータの一時的な保存場所等に利用される。ROM２３は、デジタルカメラ１の作動に必要なプログラム、該プログラムに使用される初期値等が保存されている。EEPROM２４は、デジタルカメラ１の電源がＯＦＦされても記録情報を保持する内蔵フラッシュメモリである。EEPROM２４には、デジタルカメラ１のユーザー設定やカスタム設定等の情報を記録する。
【００１７】
表示回路２５は、画像処理部２０より送られた表示用画像データ、または外部メモリ２１に記録された画像データを所定の形式に変換しモニタ２６に表示させる。モニタ２６は、液晶等の表示装置である。操作部２７は、電源釦、レリーズ釦、ズーム釦等のユーザーがカメラを操作するための操作部材を含む。
【００１８】
以下本実施の形態におけるデジタルカメラの構成の特徴について説明する。
＜レンズ室とレンズ鏡胴との接合＞
図２に示したように、レンズ室１０１とレンズ鏡胴１０２は、レンズ室１０１がレンズ鏡胴１０２に対して回転可能なように、それぞれの結合部１０１a、１０２aにより接合されている。結合方法としてはレンズ鏡胴１０２の結合部１０２aの内側に、レンズ室１０１の結合部１０１aがはめ込まれることにより結合されている。なお、結合方法としてレンズ室１０１の結合部の内側に、レンズ鏡筒１０２の結合部がはめ込んでも良い。また、レンズ室１０１は、不図示の抜け止め機構によりレンズ鏡胴１０２からの抜け落ちを防止している。なお、レンズ室１０１の抜けど止め機構としては、レンズ室１０１がレンズ鏡胴１０２から抜け落ちるのを防止するための機構ならどのようなものでも良い。例えば、結合部１０１aに、結合部１０２aに彫られた溝部と係合するような突起部を設け、レンズ室１０１をレンズ鏡胴１０２に結合させるとしても良い。また、結合部１０１aと結合部１０２aが結合された際に、レンズ室１０１をレンズ鏡胴１０２の光軸方向への移動を抑制する係止部材をレンズ鏡胴１０２やカメラボディー４０１等に設けたり、係止部材を結合部１０１a、１０２aの周り取り付ける等としても良い。
【００１９】
図１aに示すデジタルカメラ正面図の正面から見た撮像光学系１００の主要構成部材の断面図を図４に示す。レンズ鏡胴１０２の駆動ユニット部１０２ｂには光学系L２〜L4を駆動させるためのモーターやギア等からなる駆動ユニットが光学系ごとに設けられている。
【００２０】
上述したようにレンズ室１０１に保持される第一光学系L１は、駆動部等の機構が無くレンズ室１０１に固定されているため配線や駆動機構等による規制が無い。そのため、結合部の構造を簡単にでき、且つ小型化も可能である。また任意に回転可能であるため所望の位置にレンズ室１０１を回転させる際に最短の回転角で回転させることが可能となる。なお、回転角を２７０度等の所定の角度に制限するとしても良い。
【００２１】
＜レンズ室の回転＞
上述したように、レンズ室１０１はレンズ鏡胴１０２に対して任意に回転可能である。図１aに示すデジタルカメラ１は、対物レンズL１aへの被写体光入射光軸Ｉ１が、カメ
ラボディー前面壁部４０１aと垂直となる正面方向に、対物レンズL１aが向いた状態にある。図１aの矢印V方向へ見たデジタルカメラ１の側面図を図１ｂに示す。図１ｂ又は図２に示したように、カメラボディー前面壁部４０１aは、レンズ鏡胴１０２に近接して配置されている。また、対物レンズL１aが正面方向に向いた状態ではレンズ室１０１の一部がカメラボディー前面壁部４０１aから突出した状態となる。
【００２２】
対物レンズL１aへの被写体光入射光軸Ｉ１が、カメラボディー上面壁部４０１ｂと垂
直となる上面方向に、対物レンズL１aが向いた状態にあるデジタルカメラ１の正面図を図５aに、側面図を図５ｂに示す。図示のごとく、カメラボディー上面壁部４０１ｂは、レンズ鏡胴１０２に近接して配置されている。また、対物レンズL１aが上面方向に向いた状態では、レンズ室１０１の一部がカメラボディー上面壁部４０１ｂより突出した状態となる。
【００２３】
カメラボディー前面壁部４０１a、カメラボディー上面壁部４０１ｂと同様にして、カメラボディー背面壁部４０１ｃは、レンズ鏡胴１０２に近接して配置されており、対物レンズL１aへの被写体光入射光軸Ｉ１が、カメラボディー背面壁部と垂直となる背面方向
（正面方向から１８０度回転した方向）に、対物レンズL１aが向いた状態（不図示）ではレンズ室１０１の一部がカメラボディー背面壁部４０１ｃより突出した状態となる。
【００２４】
対物レンズL１aが、遮蔽壁部４０１ｄと対向した下方向（上面方向から１８０度回転した方向）に、向いた状態にあるデジタルカメラの正面図を図６aに、側面図を図６ｂに示す。図示のごとく、対物レンズL１aが下方向を向いた状態では、レンズ室１０１はカメラボディー４０１の各外壁部４０１a、４０１ｂ、４０１ｃから突出しない。この状態では対物レンズL１aの前面が遮蔽壁部４０１ｄと対向し隠蔽される。
【００２５】
上述したように、レンズ鏡胴１０２とカメラボディー前面壁部４０１a、カメラボディー上面壁部４０１ｂ、カメラボディー背面壁部４０１ｃとが近接して配置されている。そのためカメラボディー４０１は薄型化、小型化か可能となる。なお、カメラボディー各壁部をレンズ鏡胴１０２と接触して配置したり、レンズ鏡胴１０２の少なくとも一部とカメラボディー壁部とを一体に形成しても良い。
【００２６】
また、デジタルカメラ１使用時には外壁部（４０１a、４０１ｂ、４０１ｃ）から突出していたレンズ室１０１が、対物レンズL１aが遮蔽壁部４０１ｄと対向し対物レンズL１a前面が隠蔽された格納状態では、レンズ室１０１がカメラボディー４０１の外壁部（４０１a、４０１ｂ、４０１ｃ）から突出しない。つまり、格納状態では、レンズ室１０１がカメラボディー４０１の壁部から突出しないため携帯性が増す。さらに、格納状態では、対物レンズL１aの前面が隠蔽されるため、対物レンズL１a前面を保護することができる。
【００２７】
なお、本実施の形態におけるデジタルカメラ１ではレンズ室１０１より対物レンズL１aが突出していないが、対物レンズL１aがレンズ室１０１より突出して露呈していても構わない。また、対物レンズL１a前面に保護用のフィルター等の光学部材を設けても良い。
【００２８】
＜画像処理＞
本実施の形態のデジタルカメラ１において撮像素子１０４は図７aに示したように長方形状である。また撮像素子１０４はレンズ鏡胴１０２に固定されている。しかし上述から分かるように撮像素子１０４に結像する被写体像はレンズ室１０１の回転に応じて回転するため、有効素子範囲１０４aに結像された被写体像を画像処理部２０により処理し画像データを作成すると、レンズ室１０１の回転角に応じて回転した画像となる。そのため、画像処理部２０は、撮像素子１０４から出力された画像信号を処理する際に回転検出部１１から得たレンズ室１０１の回転角度に応じて必要な被写体画像領域のトリミング処理を行う。撮像素子１０４の正面図を図７aおよび図７ｂに示す。有効素子範囲１０４aは、撮像素子１０４の素子のうち使用可能な素子の長方形状の範囲を示す。点Zは前記有効素子範囲の中心である。レンズ室１０１が回転すると撮像素子１０４に結像される被写体像は点Zを中心に回転する。
【００２９】
画像のトリミング処理には2通りあり、ユーザーにより選択可能となっている。トリミングパターン１では、回転検出部１１から検出したレンズ室１０１の回転角度に応じて、縦横比３：４の所定サイズの長方領域を、回転して画像処理部２０での処理の際にトリミングする。なおトリミング領域のサイズは、その長方形状の対角線が、有効素子領域１０４aの短辺より短い所定の値に固定されている。トリミングパターン２では、回転検出部１１から検出したレンズ室１０１の回転角度に応じて、縦横比３：４のサイズの長方領域を回転して画像処理部２０での処理の際にトリミングする。ただしトリミング領域のサイズは、回転したトリミング領域において、その縦横比３：４の長方形状が有効素子範囲１０５aに収まる最大もしくは最大に近いサイズに設定される。つまり、レンズ室１０１が回転に応じて撮像された画像データの画角が変更されることになる。そのため、レンズ室１０１の回転角度により画角が変更されないようにレンズ室１０１の回転角度に応じて撮像光学系１００の光学ズームにより補正される。撮像素子１０４はレンズ室１０１が正面方向に向いた状態にある際にトリミングの領域が最大（つまり、トリミングしない有効素子領域のサイズ）になるように固定されている。縦横比３：４のトリミング領域が最小になるのは、レンズ室１０１が正面方向を向いた状態から約５３度回転した状態である。またこの状態では最大の領域（つまり、有効素子領域のサイズ）に対して画角が約１．３倍になる。つまり、トリミング領域が約５３度回転した状態の際には光学ズームにより１/１．３倍することにより、画像の画角がレンズ室１０１を正面方向に向けた際と同様になるように調整される。よってトリミングパターン２に設定された際には、ユーザーにより操作可能な光学ズームの下限の値が約１．３倍の余地を残した領域に規制される。つまり3倍ズームの場合は約１．３倍〜３倍までの光学ズームが使用可能となる。
【００３０】
以下それぞれのトリミングパターンについて図を用いて説明する。
＜トリミングパターン１＞
レンズ室１０１が正面方向に向いた状態（図１参照）から、上面に向いた状態（図５参照）へ９０度回転移動する際の画像処理部２０のトリミング処理について説明する。
【００３１】
レンズ室１０１が正面方向を向いた状態にある場合（図１参照）は、トリミング領域A（図７a参照）に示す縦横比３：４の長方形状領域に結像した被写体像が、画像処理部２０の処理の際にトリミング処理される。レンズ室１０１が正面方向から上面方向へ４５度回転した状態にある場合は、トリミング領域Aに対して４５度回転したトリミング領域B（図７a参照）に示す縦横比３：４の長方形状領域に結像した被写体像のデータが画像処理部２０の処理の際にトリミング処理される。レンズ室１０１が上面方向をむいた状態にある場合（図５参照）は、トリミング領域Bに対して４５度回転したトリミング領域C（図７a参照）に示す縦横比３：４の長方形状領域に結像した被写体像が、画像処理部２０の処理の際にトリミング処理される。なお、トリミングされる長方形状領域の大きさは、領域のレンズ室１０１の回転角度によらず一定の大きさである。またトリミング領域の大きさは、トリミングされる領域の長方形状の対角線が有効素子範囲の短辺より短い所定の値に設定可能である。
＜トリミングパターン２＞
レンズ室１０１が正面方向に向いた状態（図１参照）から、上面に向いた状態（図５参照）へ９０度回転移動する際の、トリミングパターン画像処理部２０のトリミング処理について説明する。
【００３２】
レンズ室１０１が正面方向を向いた状態にある場合（図１参照）は、トリミング領域A‘（図７ｂ参照）に示す縦横比３：４の長方形状領域つまり有効素子領域１０５aに結像した被写体像が、画像処理部２０の処理の際にトリミングされずに処理される。レンズ室１０１が正面方向から上面方向へ約５３度回転した状態にある場合は、トリミング領域Aに対して約５３度回転したトリミング領域D（図７ｂ参照）に示す縦横比３：４の長方形状領域に結像した被写体像のデータが画像処理部２０の処理の際にトリミング処理される。この際ズームレンズにより画角が１/1.3倍となるようにワイド側にズームされる。レンズ室１０１が上面方向をむいた状態にある場合（図５参照）は、トリミング領域A’に対して９０度回転したトリミング領域C’（図７ｂ参照）に示す縦横比３：４の長方形状領域に結像した被写体像が、画像処理部２０の処理の際にトリミング処理される。
【００３３】
上述のごとく、トリミングパターン１および２では、レンズ室１０１の回転により撮像素子１０４に結像される被写体像が回転してもトリミング領域がレンズ室１０１の回転に応じて回転するため、画像処理部２０によって得られる被写体画像データの被写体像は回転しない。
【００３４】
また、トリミングパターン２では、トリミングされる長方形状領域のサイズは、領域のレンズ室１０１の回転角度により変化するが、この領域サイズの変化による画角の変化を打ち消すように光学ズームが駆動される。そのためレンズ室１０１の回転しても画角が変化せず、また使用可能な最大の領域を用いるためレンズ室１０１の回転角度に応じた最良の解像度で撮影できる。
【００３５】
＜変化例＞
以下本実施の形態におけるデジタルカメラ１の変化例を説明する。
上述した実施の形態では、レンズ室１０１の回転角度を回転検出部１１により検出し、撮像素子１０４より出力された画像信号を、該回転角度に応じて画像処理部の処理でトリミング領域を回転させてトリミング処理を行ったが、画像処理部２０の処理によって作成される画像データがレンズ室１０１の回転角度に応じて回転した画像とならないならこれに限るものではない。例えば撮像素子にアドレス読み出し可能な撮像素子（例えばCMOS型等）を用いて、撮像素子より図７に示したトリミング領域内の画素からのみ画像信号を読み出すとしても良い。
【００３６】
また、有効素子領域が正方形状や、円形状の撮像素子を用いても良い。この場合は、トリミング処理に、上述したトリミングパターン１のみを用いれば良い。なお、有効素子領域が円形状の撮像素子を用いた場合は、トリミング処理を行わずにレンズ室１０１の回転角度に応じて得られる被写体画像の角度を調整するとしても良い。
【００３７】
なお、上述では本発明をレンズ一体型のデジタルカメラに適用した場合について説明したが、デジタル一眼レフカメラや、銀塩カメラ等に適用してもよい。
【図面の簡単な説明】
【００３８】
【図１】デジタルカメラ１の正面図および側面図（レンズ室正面方向）
【図２】撮像光学系１００の主要構成部材の断面図
【図３】デジタルカメラ１のブロック図
【図４】撮像光学系１００の主要構成部材の断面図
【図５】デジタルカメラ１の正面図および側面図（レンズ室上面方向）
【図６】デジタルカメラ１の正面図および側面図（レンズ室下方向）
【図７】撮像素子の正面図
【符号の説明】
【００３９】
１０  制御部
１１  回転検出部
１２  フォーカス駆動部
１３、１５、１７、１９  モーター
１４  絞り駆動部
１６  コンペンセータ駆動部
１８  フォーカス駆動部
２０  画像処理部
２１  外部メモリ
２２  RAM
２３  ROM
２４  EEPROM
２５  表示回路
２６  モニタ
２７  操作部
１００  撮像光学系
１０１  レンズ室
１０２  レンズ鏡胴
１０３  放熱板
１０４  撮像素子
１０５  絞り
４０１  カメラボディー
【図１】
2006215128.tif 000003
【図２】
2006215128.tif 000004
【図３】
2006215128.tif 000005
【図４】
2006215128.tif 000006
【図５】
2006215128.tif 000007
【図６】
2006215128.tif 000008
【図７】
2006215128.tif 000009